(57)【特許請求の範囲】
【請求項１】
光走査光学装置とそれに対応する像担持体との組を複数有し、各光走査光学装置から出射された光束を各々対応する像担持体面上に結像させ、前記光束で前記像担持体面上を走査して、前記像担持体面に異なった画像を形成し、前記複数の像担持体面上に形成した画像よりカラー画像を形成するカラー画像形成装置の製造方法において、
前記複数の光走査光学装置の各々は、光偏向器の偏向面で偏向された光束を前記像担持体面上に結像させる少なくとも１枚のプラスチック製のｆθレンズを有するｆθレンズ系、及び、前記複数の光走査光学装置を構成する各々の同一の光学特性のプラスチック製のｆθレンズを保持するプラスチック保持部材を備え、
前記複数の光走査光学装置を構成する各々の同一の光学特性のプラスチック製のｆθレンズの全てが複数個のキャビティを備えた金型の同一のレンズキャビティで成形され、かつ
前記複数の光走査光学装置を構成する各々の同一の光学特性のプラスチック製のｆθレンズを保持するプラスチック保持部材の全てが複数個のキャビティを備えた金型の同一のキャビティで成形されることを特徴とするカラー画像形成装置の製造方法。
但し、前記同一のレンズキャビティは、前記プラスチック製のｆθレンズと同一形状であり、前記同一の保持部材キャビティは、前記プラスチック保持部材と同一形状である。
【請求項２】
光走査光学装置とそれに対応する像担持体との組を複数有し、各光走査光学装置から出射された光束を各々対応する像担持体面上に結像させ、前記光束で前記像担持体面上を走査して、前記像担持体面に異なった画像を形成し、前記複数の像担持体面上に形成した画像よりカラー画像を形成するカラー画像形成装置の製造方法において、
前記複数の光走査光学装置の各々は、半導体レーザーとコリメーターレンズとを有するレーザーユニットと、前記レーザーユニットから出射した光束を光偏向器の偏向面に副走査断面内にて結像させるプラスチック製のシリンドリカルレンズ、及び、前記複数の光走査光学装置を構成する各々の同一の光学特性のプラスチック製のシリンドリカルレンズを保持するプラスチック保持部材を備え、
前記複数の光走査光学装置を構成する各々の同一の光学特性のプラスチック製のシリンドリカルレンズの全てが複数個のキャビティを備えた金型の同一のレンズキャビティで成形され、かつ、前記複数の光走査光学装置を構成する各々の同一の光学特性のプラスチック製のシリンドリカルレンズを保持するプラスチック保持部材の全てが複数個のキャビティを備えた金型の同一の保持部材キャビティで成形されることを特徴とするカラー画像形成装置の製造方法。
但し、前記同一のレンズキャビティは、前記プラスチック製のシリンドリカルレンズと同一形状であり、前記同一の保持部材キャビティは、前記プラスチック保持部材と同一形状である。
【請求項３】
光走査光学装置とそれに対応する像担持体との組を複数有し、各光走査光学装置から出射された光束を各々対応する像担持体面上に結像させ、前記光束で前記像担持体面上を走査して、前記像担持体面に異なった画像を形成し、前記複数の像担持体面上に形成した画像よりカラー画像を形成するカラー画像形成装置の製造方法において、
前記複数の光走査光学装置の各々は、少なくとも１枚のプラスチックレンズ、及び、前記複数の光走査光学装置を構成する各々の同一の光学特性のプラスチックレンズを保持するプラスチック保持部材を備え、
前記複数の光走査光学装置を構成する各々の同一の光学特性のプラスチックレンズの全てが複数個のキャビティを備えた金型の同一のレンズキャビティで成形され、かつ、前記複数の光走査光学装置を構成する各々の同一の光学特性のプラスチックレンズ保持するプラスチック保持部材の全てが複数個のキャビティを備えた金型の同一の保持部材キャビティで成形されることを特徴とするカラー画像形成装置の製造方法。
但し、前記同一のキャビティは、前記プラスチック製のレンズと同一形状であり、前記同一の保持部材キャビティは、前記プラスチック保持部材と同一形状である。
【発明の詳細な説明】
【０００１】
【発明の属する技術分野】
本発明はカラー画像形成装置の製造方法に関し、特に光走査光学装置とそれに対応する像担持体との組を複数有し、各光走査光学装置から出射された光束（光ビーム）を各々対応する像担持体面上を光走査して画像を形成するようにした、あるいはマルチ半導体レーザーを含む光走査光学装置と複数の像担持体とを有し、該光走査光学装置から出射された複数の光束（光ビーム）を各々対応する像担持体面上を光走査して画像を形成するようにした、例えば高速レーザプリンタ装置、複数ドラム方式のカラー複写機あるいはデジタルカラー複写機等の装置に好適なカラー画像形成装置の製造方法に関するものである。
【０００２】
【従来の技術】
従来より複数ドラム方式のカラープリンタあるいは複数ドラム方式のカラー複写機等のカラー画像形成装置においては、色分解された色成分に対応する複数の画像形成部及びこの画像形成部に色成分に対応する画像データ、即ち複数の光束を提供するレーザ露光装置、即ち光走査光学装置が利用されている。
【０００３】
一般に光走査光学装置は光源としての半導体レーザ素子、該半導体レーザ素子から出射された光束のビーム径を所定の大きさに絞り込む第１のレンズ群（コリメーターレンズやシリンドリカルレンズ）、該第１のレンズ群により絞り込まれた光束を記録媒体が搬送される方向と直交する方向に連続的に偏向反射する光偏向器（光偏向装置）、そして該光偏向器により偏向反射された光束を記録媒体の所定の位置に結像させる第２のレンズ群（ｆθレンズ系）等を有している。
【０００４】
この種の光走査光学装置としては適用される画像形成装置に合わせて各画像形成部の各々に対応して複数の光走査光学装置が配置される例と、複数の光束を提供可能に形成されたマルチビーム光走査装置が配置される例とが知られている。
【０００５】
マルチビーム光走査装置としては、例えば特開平3-264970号公報でみられるようにマルチビームのビーム数だけｆθレンズ等のレンズ群を配置する例がある。また特公平2-20986 号公報でみられるように単一の光偏向器に複数の光束を異なる角度で入射させ、単一のｆθレンズ（走査レンズ）で集光させ、走査線の曲がりを補正するためのシリンドリカルレンズを感光体（感光ドラム）近傍に配置した例がある。
【０００６】
【発明が解決しようとする課題】
しかしながら上記の従来のマルチビーム光走査装置は以下に示す種々の問題点がある。
【０００７】
特公平2-20986 号公報ではｆθレンズに斜めに光束が入射されるため走査線が湾曲し、その湾曲した走査線をシリンドリカルレンズで補正しているものの完全ではなく、入射光束の数が増えると入射角度も複数存在し、湾曲量の異なった走査線が感光体面上で位置ずれをおこすという問題点があった。
【０００８】
特開平3-264970号公報ではマルチビームのビーム数だけｆθレンズ等のレンズ群を配置している。このような配置にした場合、複数の光束はそれぞれの光学系の中心を通るため走査線の湾曲は生じにくいが、それぞれの光学系の精度を極端に上げない限り製造上の誤差によって感光体面上で走査方向に位置ずれが生じるという問題点があった。これを回避するにはレンズの精度を極端に上げるか、もしくはレンズの位置調整機構を設けて調整するかであり、これは装置全体が複雑化になり、かつ高コスト化につながる要因になるので望ましくない。
【０００９】
本発明の第１の目的は光走査光学装置とそれに対応する像担持体との組を複数有するカラー画像形成装置において、各光走査光学装置を適切に構成することにより、レンズの精度を極端に上げることなく各光走査光学装置の走査位置ずれが生じないようにすることができるカラー画像形成装置の製造方法の提供にある。
【００１０】
本発明の第２の目的はマルチ半導体レーザーを含む光走査光学装置と複数の像担持体とを有するカラー画像形成装置において、該光走査光学装置を適切に構成することにより、レンズの精度を極端に上げることなく該光走査光学装置の走査位置ずれが生じないようにすることができるカラー画像形成装置の製造方法の提供にある。
【００１１】
【課題を解決するための手段】
請求項１の発明のカラー画像形成装置の製造方法は、光走査光学装置とそれに対応する像担持体との組を複数有し、各光走査光学装置から出射された光束を各々対応する像担持体面上に結像させ、前記光束で前記像担持体面上を走査して、前記像担持体面に異なった画像を形成し、前記複数の像担持体面上に形成した画像よりカラー画像を形成するカラー画像形成装置の製造方法において、
前記複数の光走査光学装置の各々は、光偏向器の偏向面で偏向された光束を前記像担持体面上に結像させる少なくとも１枚のプラスチック製のｆθレンズを有するｆθレンズ系、及び、前記複数の光走査光学装置を構成する各々の同一の光学特性のプラスチック製のｆθレンズを保持するプラスチック保持部材を備え、
前記複数の光走査光学装置を構成する各々の同一の光学特性のプラスチック製のｆθレンズの全てが複数個のキャビティを備えた金型の同一のレンズキャビティで成形され、かつ
前記複数の光走査光学装置を構成する各々の同一の光学特性のプラスチック製のｆθレンズを保持するプラスチック保持部材の全てが複数個のキャビティを備えた金型の同一のキャビティで成形されることを特徴としている。
但し、前記同一のレンズキャビティは、前記プラスチック製のｆθレンズと同一形状であり、前記同一の保持部材キャビティは、前記プラスチック保持部材と同一形状である。
【００１２】
請求項２の発明のカラー画像形成装置の製造方法は、光走査光学装置とそれに対応する像担持体との組を複数有し、各光走査光学装置から出射された光束を各々対応する像担持体面上に結像させ、前記光束で前記像担持体面上を走査して、前記像担持体面に異なった画像を形成し、前記複数の像担持体面上に形成した画像よりカラー画像を形成するカラー画像形成装置の製造方法において、
前記複数の光走査光学装置の各々は、半導体レーザーとコリメーターレンズとを有するレーザーユニットと、前記レーザーユニットから出射した光束を光偏向器の偏向面に副走査断面内にて結像させるプラスチック製のシリンドリカルレンズ、及び、前記複数の光走査光学装置を構成する各々の同一の光学特性のプラスチック製のシリンドリカルレンズを保持するプラスチック保持部材を備え、
前記複数の光走査光学装置を構成する各々の同一の光学特性のプラスチック製のシリンドリカルレンズの全てが複数個のキャビティを備えた金型の同一のレンズキャビティで成形され、かつ、前記複数の光走査光学装置を構成する各々の同一の光学特性のプラスチック製のシリンドリカルレンズを保持するプラスチック保持部材の全てが複数個のキャビティを備えた金型の同一の保持部材キャビティで成形されることを特徴としている。
但し、前記同一のレンズキャビティは、前記プラスチック製のシリンドリカルレンズと同一形状であり、前記同一の保持部材キャビティは、前記プラスチック保持部材と同一形状である。
【００１３】
請求項３の発明のカラー画像形成装置の製造方法は、光走査光学装置とそれに対応する像担持体との組を複数有し、各光走査光学装置から出射された光束を各々対応する像担持体面上に結像させ、前記光束で前記像担持体面上を走査して、前記像担持体面に異なった画像を形成し、前記複数の像担持体面上に形成した画像よりカラー画像を形成するカラー画像形成装置の製造方法において、
前記複数の光走査光学装置の各々は、少なくとも１枚のプラスチックレンズ、及び、前記複数の光走査光学装置を構成する各々の同一の光学特性のプラスチックレンズを保持するプラスチック保持部材を備え、
前記複数の光走査光学装置を構成する各々の同一の光学特性のプラスチックレンズの全てが複数個のキャビティを備えた金型の同一のレンズキャビティで成形され、かつ、前記複数の光走査光学装置を構成する各々の同一の光学特性のプラスチックレンズ保持するプラスチック保持部材の全てが複数個のキャビティを備えた金型の同一の保持部材キャビティで成形されることを特徴としている。
但し、前記同一のキャビティは、前記プラスチック製のレンズと同一形状であり、前記同一の保持部材キャビティは、前記プラスチック保持部材と同一形状である。
【００１９】
【発明の実施の形態】
（実施形態１）
図１は本発明の実施形態１に係るカラー画像形成装置の要部概略図である。
【００２０】
同図において１はカラー画像形成装置（装置本体）、２ａ，２ｂ，２ｃ，２ｄは各々後述する構成より成る光走査光学装置（以下「スキャナーユニット」とも称す。）、４ａ，４ｂ，４ｃ，４ｄは各々像担持体としての感光ドラム（感光体）である。本実施形態においては画像情報に基づいて各々光変調された各光束（レーザ光）が光走査光学装置２ａ，２ｂ，２ｃ，２ｄより出射し、折り返しミラー３ａ，３ｂ，３ｃ，３ｄを介して各々対応する感光ドラム４ａ，４ｂ，４ｃ，４ｄ面上を照射して潜像を形成する。この潜像は１次帯電器（不図示）によって各々一様に帯電している感光ドラム４ａ，４ｂ，４ｃ，４ｄ面上に形成されており、現像器５ａ，５ｂ，５ｃ，５ｄによって各々シアン、マゼンタ、イエロー、ブラックの画像に可視像化され、転写ベルトＰ上を搬送されてくる転写材Ｓに転写ローラによって順に静電転写されることによってカラー画像が形成される。尚、折り返しミラー３ａ，３ｂ，３ｃ，３ｄは調整機構（不図示）により走査線の傾きを調整するように構成されている。
【００２１】
図２は１つの光走査光学装置２ａとそれに対応する像担持体４ａとを示した要部概略図である。同図において図１に示した要素と同一要素には同符番を付している。
【００２２】
同図において６ａは光源手段としての半導体レーザーである。７ａはコリメーターレンズであり、光源手段６ａから出射された光束（光ビーム）を略平行光束に変換している。２４ａは開口絞りであり、通過光束（光量）を制限している。尚、半導体レーザー６ａ、コリメーターレンズ７ａ、そして開口絞り２４ａの各要素はレーザーユニットの一要素を構成している。８ａはプラスチック材より成るシリンドリカルレンズ（プラスチックシリンドリカルレンズ）であり、副走査方向に所定の屈折力を有しており、開口絞り２４ａを通過した光束を副走査断面内で後述する光偏向器９ａの偏向面９ａ１にほぼ線像として結像させている。２１ａはｆθ特性を有するｆθレンズ系（走査レンズ系）であり、プラスチック材より成る第１、第２の２枚のプラスチックレンズ（プラスチックｆθレンズ）１０ａ，１１ａより成っている。
【００２３】
本実施形態における光走査光学装置において半導体レーザー６ａから出射した光束はコリメーターレンズ７ａにより略平行光束に変換され、開口絞り２４ａによって該光束（光量）を制限してプラスチックシリンドリカルレンズ８ａに入射している。プラスチックシリンドリカルレンズ８ａに入射した略平行光束のうち主走査断面においてはそのままの状態で射出する。また副走査断面内においては収束して光偏向器９ａの偏向面９ａ１にほぼ線像（主走査方向に長手の線像）として結像している。そして光偏向器９ａの偏向面９ａ１で偏向された光束はｆθレンズ系２１ａを通過することによってその走査直線性が補正され、折り返しミラー３ａを介して感光ドラム４ａ面上に導光される。そして光偏向器９ａを矢印Ａ方向に回転させることによって、該感光ドラム４ａ面上を矢印Ｂ方向に光走査している。そして上述の如く例えばＣ（シアン），Ｍ（マゼンタ），Ｙ（イエロー），Ｂ（ブラック）の潜像を対応する感光ドラム面上に形成し、その後、転写材に多重転写して１枚のカラー画像を形成している。
【００２４】
本実施形態では各光走査光学装置を構成する各々のプラスチックレンズのうち少なくとも１枚のプラスチックレンズを同一のキャビティで成形し、かつ該同一キャビティで成形される該プラスチックレンズの少なくとも１つを複数個取りの金型で成形している。
【００２５】
また本実施形態では各光走査光学装置においてレーザーユニット、シリンドリカルレンズ、そしてｆθレンズ系を１つのプラスチック保持部材で保持し、該プラスチック保持部材を同一キャビティで成形し、かつ同一キャビティで成形される該プラスチック保持部材を複数個取りの金型で成形している。さらに各光走査光学装置の光偏向器も前記プラスチック保持部材で保持している。
【００２６】
本実施形態ではスキャナーユニット２ａのプラスチック保持部材２２ａ、プラスチックシリンドリカルレンズ８ａ、そして第１、第２のプラスチックｆθレンズ１０ａ，１１ａを各々複数のキャビティによって成形しており、またそのキャビティの組み合わせを規定しており、他の組み合わせではプラスチックレンズがプラスチック保持部材２２ａに取り付かないように構成している。
【００２７】
本実施形態では各々Ａ１，Ａ２キャビティという２つのキャビティによる成形とする。尚、本実施形態では各々２キャビティとしたが、キャビティの数は成形タクトの兼ね合いで決定されるものであるので、その数はいくつでもかまわない。もちろん１キャビティである場合もある。
【００２８】
各キャビティの組み合わせは、例えば以下の表−１に示すように規定しており、他の組み合わせでは取り付かないように構成している。
【００２９】
【表１】
0004235299.tif 000002
上記組み合わせ１，２は公差上、走査線湾曲、像面湾曲等の収差が良くなるように決定されている。そして同じ組み合わせのスキャナーユニットを１つの装置本体に搭載するようにしている。
【００３０】
図３、図４、図５は各々図２に示したプラスチックシリンドリカルレンズ８ａの説明図である。図３において１２はプラスチックスキャナー箱２ａ´上の位置決め、１３はキャビティ規定ダボである。キャビティ規定ダボ１３はプラスチックスキャナー箱２ａ´（プラスチック保持部材２２ａ）のキャビティによって異なっていて、規定されたキャビティのプラスチックシリンドリカルレンズ８ａのみ取り付けることができる。図４は別のキャビティのプラスチックシリンドリカルレンズ８ａ´の説明図であり、図３とはキャビティ規定ダボ１３近傍の形状が異なる。図５はプラスチックシリンドリカルレンズ８ａの俯瞰図である。
【００３１】
図６はｆθレンズ系２１ａを構成する第１、第２のプラスチックｆθレンズ１０ａ，１１ａの説明図である。同図において１４はプラスチックスキャナー箱２ａ´上にある第１、第２のプラスチックｆθレンズ１０ａ，１１ａのＹ方向の位置決めピン、１５はＸ方向の位置決めピンである。１６はキャビティ規定ダボ、１７は第１、第２のプラスチックｆθレンズ１０ａ，１１ａのキャビティを示すピンである。キャビティを示すピン１７がレンズのキャビティによって位置が異なるので、キャビティ規定ダボ１６によってプラスチックスキャナー箱２ａ´（プラスチック保持部材２２ａ）と第１、第２のプラスチックｆθレンズ１０ａ，１１ａとのキャビティの組み合わせが規定されている。
【００３２】
このように本実施形態では上述の如くカラー画像形成装置を構成することによって、レンズの精度を極端に上げることなく各光走査光学装置の走査位置ずれが生じないようにすることができる。
【００３３】
（実施形態２）
図７は本発明の実施形態２に係る１つの光走査光学装置の要部概略図である。同図において図２に示した要素と同一要素には同符番を付している。
【００３４】
本実施形態において前述の実施形態１と異なる点は第１、第２のプラスチックｆθレンズ１０ａ，１１ａのキャビティの組み合わせのみを規定し、他の組み合わせでは取り付かないようにし、またそのキャビティの組み合わせがプラスチックスキャナー箱２ａ´（光走査光学装置２ａ）の外観から判別できるように構成したことである。その他の構成及び光学的作用は前述の実施形態１と略同様であり、これにより同様な効果を得ている。
【００３５】
即ち、同図において１７は第１、第２のプラスチックｆθレンズ１０ａ，１１ａのキャビティの組み合わせのみを規定するピンであり、他のキャビティの組み合わせでは組み合わせることができないように構成している。本実施形態では各々Ａ１、Ａ２キャビティの２つのキャビティの場合を示している。１８は第２のプラスチックｆθレンズ１１ａのＡ１キャビティを示すピンであり、Ｚ方向にプラスチックスキャナー箱２ａ´を貫通するように構成されている。Ａ２キャビティにはピン１７は具備されていない。プラスチックスキャナー箱２ａ´をピン１７が貫通しているかいないかで第１、第２のプラスチックｆθレンズ１０ａ，１１ａのキャビティの組み合わせが分かるように構成している。
【００３６】
このように本実施形態では上述の如く第１、第２のプラスチックｆθレンズ１０ａ，１１ａのキャビティの組み合わせのみを規定し、そのキャビティの組み合わせがプラスチックスキャナー箱２ａ´の外観から判別できるよう構成することによって、工場での組み立て時や市場での交換時に組み間違いを防止している。また装置本体には同じ組み合わせのスキャナーユニットを搭載している。
【００３７】
尚、本実施形態では同じ組み合わせのレンズを４個装置に組み込んでるが、性能上問題がなければ第１、第２のプラスチックｆθレンズ１０ａ，１１ａの組み合わせが規定されていれば、どの組み合わせを装置本体に組み込んでもよい。
【００３８】
また本実施形態ではピンのあるなしでキャビティの組み合わせを識別しているが、これに限らず、例えば組立て時、プラスチックスキャナー箱にラベル等を貼って識別してもかまわない。プラスチックレンズとプラスチック保持部材とのキャビティの組み合わせが各スキャナーユニットの外部から認識できるように構成しても良い。
【００３９】
（実施形態３）
図８は本発明の実施形態３に係る要部概略図である。同図において図１、図２に示した要素と同一要素には同符番を付している。
【００４０】
本実施形態において前述の実施形態１と異なる点は各光走査光学装置においてレーザーユニット、プラスチックシリンドリカルレンズ、そしてｆθレンズ系を１つのプラスチック保持部材で保持し、また光偏向器を共用して構成したことである。このプラスチック保持部材は前述の実施形態１と同様に同一キャビティで成形され、かつ複数個取りの金型で成形されている。
【００４１】
即ち、同図において２３ａはプラスチック保持部材であり、半導体レーザー６ａ、コリメーターレンズ７ａ、プラスチックシリンドリカルレンズ８ａ、そして第１、第２のプラスチックｆθレンズ１０ａ，１１ａ等を保持しており、前述の実施形態１と同様に該プラスチック保持部材２３ａ、プラスチックシリンドリカルレンズ８ａ、そして第１、第２のプラスチックｆθレンズ１０ａ，１１ａのキャビティの組み合わせを規定して構成している。
【００４２】
本実施形態ではプラスチック保持部材２３ａと同じプラスチック保持部材２３ａ´をプラスチックスキャナー箱２ａ´上でポリゴンミラー９ａ´を挟んで対称に配置することによって、該ポリゴンミラー９ａ´を共用している。即ち、片方のプラスチック保持部材２３ａ´を紙面に対してひっくり返して配置している。
【００４３】
図９は本実施形態の装置全体の構成を示す構成図である。同図に示すように本実施形態では２セットの光走査光学装置が入っているスキャナーユニット２ａ”，２ｂ”を２つ搭載している。
【００４４】
このようにカラー画像形成装置を構成することによっても本実施形態は前述の各実施形態と同様な効果を得ることができる。
【００４５】
尚、各実施形態においては光源手段として単一の光束を出射させる半導体レーザーを用いたが、これに限らず、例えば図１０、図１１に示すように光走査光学装置３２を構成する光源手段３５をマルチ半導体レーザーより構成し、該光走査光学装置３２から複数の光束（図１０、図１１では２つの光束を出射させているが、これに限らず、例えば２つ以上でも良い。）を出射させて各々対応する折り返しミラー３６ａ（３７ａ，３７ｂ，３７ｃ）を介して感光ドラム３３ａ（３３ｂ）面上に導光し、該複数の感光ドラム３３ａ，３３ｂ面上に形成した画像よりカラー画像を形成しても、本発明は前述の各実施形態と同様に適用することができる。
【００４６】
【発明の効果】
第１の発明によれば前述の如く光走査光学装置とそれに対応する像担持体との組を複数有するカラー画像形成装置の製造方法において、各光走査光学装置を適切に構成することにより、レンズの精度を極端に上げることなく各光走査光学装置の走査位置ずれが生じないようにすることができるカラー画像形成装置の製造方法を達成することができる。
【００４７】
第２の発明によれば前述の如くマルチ半導体レーザーを含む光走査光学装置と複数の像担持体とを有するカラー画像形成装置の製造方法において、該光走査光学装置を適切に構成することにより、レンズの精度を極端に上げることなく該光走査光学装置の走査位置ずれが生じないようにすることができるカラー画像形成装置の製造方法を達成することができる。
【図面の簡単な説明】
【図１】 本発明の実施形態１に係るカラー画像形成装置の要部概略図
【図２】 本発明の実施形態１に係る光走査光学装置の要部概略図
【図３】 本発明の実施形態１に係るプラスチックシリンドリカルレンズの説明図
【図４】 本発明の実施形態１に係るプラスチックシリンドリカルレンズの説明図
【図５】 本発明の実施形態１に係るプラスチックシリンドリカルレンズの説明図
【図６】 本発明の実施形態１に係るｆθレンズ系の説明図
【図７】 本発明の実施形態２に係る光走査光学装置の要部概略図
【図８】 本発明の実施形態３に係る光走査光学装置の要部概略図
【図９】 本発明の実施形態３に係るカラー画像形成装置の要部概略図
【図１０】 マルチ半導体レーザーを用いたカラー画像形成装置の要部概略図
【図１１】 図１０に示した光走査光学装置の要部概略図
【符号の説明】
１ 装置本体（カラー画像形成装置）
２ａ，２ｂ，２ｃ，２ｄ 光走査光学装置（スキャナーユニット）
３２ 光走査光学装置（スキャナーユニット）
３ａ，３ｂ，３ｃ，３ｄ 折返しミラー
３６ａ，３７ａ，３７ｂ，３７ｃ 折返しミラー
４ａ，４ｂ，４ｃ，４ｄ 感光ドラム
３３ａ，３３ｂ 感光ドラム
５ａ，５ｂ，５ｃ，５ｄ 現像器
３４ａ，３４ｂ 現像器
６ａ 半導体レーザー
３５ マルチ半導体レーザー
７ａ コリメーターレンズ
８ａ プラスチックシリンドリカルレンズ
９ａ 光偏向器（ポリゴンミラー）
２１ａ ｆθレンズ系
１０ａ 第１のプラスチックｆθレンズ
１１ａ 第２のプラスチックｆθレンズ
１２ 位置決め
１３ キャビティ規定ダボ
１４ Ｙ方向位置決めピン
１５ Ｘ方向位置決めピン
１６ キャビティ規定ダボ
１７ キャビティを示すピン
２２ａ，２３ａ，２３ａ´ プラスチック保持部材
２ａ´ プラスチックスキャナー箱
２ａ”，２ｂ” スキャナーユニット
【図１】
0004235299.tif 000003
【図２】
0004235299.tif 000004
【図３】
0004235299.tif 000005
【図４】
0004235299.tif 000006
【図５】
0004235299.tif 000007
【図６】
0004235299.tif 000008
【図７】
0004235299.tif 000009
【図８】
0004235299.tif 000010
【図９】
0004235299.tif 000011
【図１０】
0004235299.tif 000012
【図１１】
0004235299.tif 000013